(57)【要約】【課題】簡易な構成によってＬＥＤから導光板への光伝達効率の向上を図ること。【解決手段】任意の面積の発光面を有し、当該発光面を発光させることで光を照射する透過用光源部３００において、凹部３１０と弾性部材３１１とを含む密着部材によって、導光板３０２の端部に位置づけられたＬＥＤ３０１を導光板３０２に密着させるようにした。また、弾性部材３１１が、ＬＥＤ３０１の全体を覆うように接触するようにした。これによって、透過用光源部３００は、ＬＥＤ３０１から導光板３０２への光伝達効率の向上を図り、利用者は、発光輝度の高い透過用光源部３００を得ることができる。【選択図】図３
2007280624.tif 000002
【特許請求の範囲】
【請求項１】
任意の面積の発光面を有し、当該発光面を発光させることで光を照射する光源装置にお
いて、
導光板と、
当該導光板の端部に位置づけられたＬＥＤと、
前記ＬＥＤを前記導光板に密着させる密着部材と、
を備えたことを特徴とする光源装置。
【請求項２】
前記密着部材は、弾性部材と、
前記弾性部材を保持する保持部材と、
を含み、
前記弾性部材が前記ＬＥＤに接触することによって前記ＬＥＤを前記導光板に密着させ
ることを特徴とする請求項１に記載の光源装置。
【請求項３】
前記弾性部材は、前記ＬＥＤの全体を覆うように接触することを特徴とする請求項２に
記載の光源装置。
【請求項４】
前記保持部材は、前記導光板を保持するフレームに設けられた凹部であることを特徴と
する請求項２または３に記載の光源装置。
【請求項５】
前記弾性部材は、前記ＬＥＤを前記導光板の端部に取り付ける際に、前記ＬＥＤが取り
付けられる側において周辺部材よりも突出していることを特徴とする請求項１〜４のいず
れか一つに記載の光源装置。
【請求項６】
前記ＬＥＤは、前記ＬＥＤを配置する位置において、あらかじめ配置された前記導光板
と前記弾性部材との間に挿入することで、前記導光板の端部に取り付けられていることを
特徴とする請求項５に記載の光源装置。
【請求項７】
請求項１〜６のいずれか一つに記載の光源装置と、
原稿が載置される原稿台を間にして前記光源装置に対向配置された撮像素子と、
を備えることを特徴とする画像読取装置。
【請求項８】
請求項７に記載の画像読取装置と、
前記画像読取装置が備える撮像素子に入射された光の強弱に応じた画像を被記録媒体上
に形成する画像形成装置と、
を備えることを特徴とする複合機。
【発明の詳細な説明】
【技術分野】
【０００１】
この発明は、光源装置、画像読取装置、および複合機に関する。
【背景技術】
【０００２】
導光板と導光板の端面に設けられたＬＥＤとを備え、ＬＥＤから導光板の端面に入射さ
れた光を導光板全体に亘って伝播させることで、導光板全体を発光させる光源装置がある
。このような光源装置では、ＬＥＤと導光板との間にクリアランスが存在すると、ＬＥＤ
から導光板への光の入射効率が低下し、導光板の発光輝度が低下するため、従来より、Ｌ
ＥＤと導光板とを密着させる技術が検討されている。
【０００３】
従来では、たとえば、導光板に設けられた保持部材によって保持される板バネを用いて
ＬＥＤを導光板側へ付勢する技術や、導光板を支持する支持フレームによって支持される
板バネを用いてＬＥＤを導光板側へ付勢する技術がある。また、従来では、たとえば、支
持フレームに一体成形された板バネによってＬＥＤを付勢する技術がある。
【０００４】
また、従来、ＬＥＤモジュールが取り付けられた透明導光板を、ＬＥＤモジュールを収
納するための凹部が設けられた外枠に嵌め込み、凹部に設けられたバネによって、ＬＥＤ
モジュールを透明導光板に押し付けるようにした技術がある（たとえば、下記特許文献１
参照。）。
【０００５】
【特許文献１】特開２００２−３２４４２３号公報
【発明の開示】
【発明が解決しようとする課題】
【０００６】
しかしながら、上述した従来の技術のように、板バネ（バネ）を用いてＬＥＤを導光板
に付勢する（押し付ける）方法では、以下のような問題がある。たとえば、上述した従来
の技術のうち、導光板に設けられた保持部材によって保持される板バネを用いて、ＬＥＤ
を導光板側へ付勢する技術では、限られたサイズの導光板に保持部材や板バネを設けなく
てはならず、組み立て性が悪いという問題がある。
【０００７】
また、この従来の技術では、あらかじめ基板に実装されたＬＥＤを用いる場合に、組み
立て作業が困難であり、歩留まりが悪くなるという問題がある。この対策として、ＦＰＣ
（フレキシブルプリント配線板）に直接実装されたＬＥＤを用いた場合、通常の基板を用
いる場合と比較して光源装置の製造コストが増加してしまうという問題がある。
【０００８】
また、上述した従来の技術のうち、導光板を支持する支持フレームによって支持される
板バネを用いてＬＥＤを導光板側へ付勢する技術では、板バネがＬＥＤに対して点接触す
るため、板バネによる付勢力を、ＬＥＤの導光板に対向する面全体に亘って均一に加える
ことが困難であるという問題がある。この技術では、導光板の端面に対してＬＥＤが傾き
易く、端面に対してＬＥＤが傾くことによって上述したクリアランスが発生するという問
題がある。
【０００９】
さらに、上述した従来の技術のうち、支持フレームに一体成形された板バネによってＬ
ＥＤを付勢する技術では、成形の技術上の都合から、支持フレームに開口部分ができ、Ｌ
ＥＤで発光した光が開口部分から漏れてしまうという問題がある。
【課題を解決するための手段】
【００１０】
この発明にかかる光源装置は、任意の面積の発光面を有し、当該発光面を発光させるこ
とで光を照射する光源装置において、導光板と、当該導光板の端部に位置づけられたＬＥ
Ｄと、前記ＬＥＤを前記導光板に密着させる密着部材と、を備えたことを特徴とする。
【００１１】
したがって、光源装置においては、ＬＥＤを導光板に密着させることができる。これに
よって、光源装置は、ＬＥＤから導光板への光伝達効率の向上を図ることができる。また
、これによって、利用者は、発光輝度の高い光源装置を得ることができる。
【００１２】
また、この発明にかかる光源装置における前記密着部材は、弾性部材と、前記弾性部材
を保持する保持部材と、を含み、前記弾性部材が前記ＬＥＤに接触することによって前記
ＬＥＤを前記導光板に密着させることを特徴とする。
【００１３】
したがって、光源装置においては、弾性部材の弾性力を利用して、ＬＥＤを導光板に密
着させることができる。これによって、光源装置は、簡易な構成によってＬＥＤから導光
板への光伝達効率の向上を図ることができる。また、これによって、利用者は、発光輝度
の高い小型の光源装置を得ることができる。
【００１４】
また、この発明にかかる光源装置における前記弾性部材は、前記ＬＥＤの全体を覆うよ
うに接触することを特徴とする。
【００１５】
したがって、光源装置においては、ＬＥＤを、ＬＥＤの全体に亘って導光板に密着させ
ることができる。これによって、光源装置は、簡易な構成によってＬＥＤと端面とを安定
して密着させることができる。また、これによって、利用者は、発光輝度が安定した小型
の光源装置を得ることができる。
【００１６】
また、この発明にかかる光源装置における前記保持部材は、前記導光板を保持するフレ
ームに設けられた凹部であることを特徴とする。
【００１７】
したがって、光源装置においては、簡易な構成で弾性部材を保持することができる。こ
れによって、光源装置は、構成の簡易化および組み立て性能の向上を図ることができる。
これによって、利用者は、発光輝度が安定した小型の光源装置を得ることができる。
【００１８】
また、この発明にかかる光源装置における前記弾性部材は、前記ＬＥＤを前記導光板の
端部に取り付ける際に、前記ＬＥＤが取り付けられる側において周辺部材よりも突出して
いることを特徴とする。
【００１９】
したがって、光源装置においては、弾性部材と周辺部材との段差を利用して、ＬＥＤを
導光板の端部に取り付けることができる。これによって、光源装置は、基板に実装された
ＬＥＤのように、取り付けに際してＬＥＤを直接視認することが困難な場合における組み
立て性能の向上を図ることができる。これによって、利用者は、製造コストの増加を抑え
た発光輝度の高い光源装置を得ることができる。
【００２０】
また、この発明にかかる光源装置における前記ＬＥＤは、前記ＬＥＤを配置する位置に
おいて、あらかじめ配置された前記導光板と前記弾性部材との間に挿入することで、前記
導光板の端部に取り付けられていることを特徴とする。
【００２１】
したがって、光源装置においては、弾性部材の弾性力を利用して、導光板と弾性部材と
の間に押し込むようにしてＬＥＤを挿入することで、ＬＥＤを導光板の端部に取り付ける
ことができる。これによって、光源装置は、光源装置の組み立て性能の向上を図ることが
できる。これによって、利用者は、製造コストの増加を抑えた発光輝度の高い光源装置を
得ることができる。
【００２２】
また、この発明にかかる画像読取装置は、上述した光源装置と、原稿が載置される原稿
台を間にして前記光源装置に対向配置された撮像素子と、を備えることを特徴とする。
【００２３】
したがって、画像読取装置においては、原稿画像の読み取りに十分な光量を小型の光源
装置によって確保することができる。これによって、画像読取装置は、読み取り精度の向
上および画像読取装置の小型化を図ることができる。また、これによって、利用者は、小
型の画像読取装置を用いて、品質の良好な読み取り画像を得ることができる。
【００２４】
また、この発明にかかる複合機は、上述した画像読取装置と、前記画像読取装置が備え
る撮像素子に入射された光の強弱に応じた画像を被記録媒体上に形成する画像形成装置と
、を備えることを特徴とする。
【００２５】
したがって、複合機においては、画像読取装置における原稿画像の読み取りに十分な光
量を小型の光源装置によって確保することができる。これによって、複合機は、原稿の画
像を高精度に再現することができる。また、これによって、利用者は、原稿の画像が高精
度に再現された被記録媒体を得ることができる。
【発明を実施するための最良の形態】
【００２６】
（実施の形態１）
以下に添付図面を参照して、この発明にかかる光源装置および画像読取装置の好適な実
施の形態１を詳細に説明する。この実施の形態１は、この発明にかかる光源装置および画
像読取装置を実現するスキャナ装置への適用例を示す。
【００２７】
図１は、実施の形態１にかかるスキャナ装置の外観を示す斜視図である。はじめに、図
１を用いて、実施の形態１にかかるスキャナ装置の外観について説明する。図１に示すよ
うに、スキャナ装置１００は、本体ユニット１１０と、透過型原稿用光源ユニット（以下
、「ＴＰＵユニット」という）１２０と、を備えている。
【００２８】
ＴＰＵユニット１２０は、本体ユニット１１０に対して対向配置されており、図示しな
いヒンジ部を介して、本体ユニット１１０に連結されている。ＴＰＵユニット１２０は、
ヒンジ部を支点にして、図１に示す状態から本体ユニット１１０に対して離反する方向に
回動可能に連結されている。
【００２９】
図２は、スキャナ装置１００の縦断正面図である。つぎに、図２を用いて、実施の形態
１のスキャナ装置１００の概略構成について説明する。図２に示すように、スキャナ装置
１００は、本体ユニット１１０の外郭をなす本体ハウジング２１０と、ＴＰＵユニット１
２０の外郭をなすＴＰＵハウジング２３０と、を備えている。
【００３０】
はじめに、本体ユニット１１０の概略構成について説明する。本体ユニット１１０にお
ける本体ハウジング２１０は、ＴＰＵハウジング２３０に向かって開口する開口部２１１
を備えている。開口部２１１には、開口部２１１を閉塞するように原稿台ガラス２１２が
設けられている。
【００３１】
この実施の形態１では、開口部２１１および原稿台ガラス２１２によって読取窓が実現
され、本体ハウジング２１０における開口部２１１周辺部によって枠部材が実現されてい
る。原稿台ガラス２１２上には、読み取り対象となる原稿が載置される。
【００３２】
本体ハウジング２１０および原稿台ガラス２１２によって形成される空間２１３には、
原稿台ガラス２１２に載置された原稿の画像を光学的に読み取るための光学部材２１４が
設けられている。光学部材２１４としては、原稿台ガラス２１２に向けて光を照射する反
射用光源２１５、反射用光源２１５から照射され原稿において反射された光を所定の経路
に導く複数のミラー２１６、ミラー２１６によって導かれた光を受光する撮像素子２１７
、ミラー２１６によって導かれた光を撮像素子２１７に結像させるレンズ２１８などが挙
げられる。
【００３３】
撮像素子２１７としては、たとえば、受光面に結像された光学像を光電変換して、素子
ごとの受光量に応じた電気信号を出力するフォトダイオードを用いることが可能である。
スキャナ装置１００においては、前述のフォトダイオードが走査回路基板２１９上におい
て主走査方向に沿って直線的に配列されることによって構成されるリニアイメージセンサ
が、撮像素子２１７として用いられている。
【００３４】
また、空間２１３には、スキャナキャリッジ２２０が設けられている。スキャナキャリ
ッジ２２０は、原稿台ガラス２１２と平行であって、かつ、副走査方向に延出するキャリ
ッジガイド２２１に沿って摺動自在に設けられている。
【００３５】
スキャナキャリッジ２２０には、モータ２２２に連結された駆動機構２２３を介して、
動力源としてのモータ２２２で発生させた駆動力が伝達される。説明は後述するが、駆動
機構２２３は、モータ２２２の駆動軸に連結されたギア列や、ギア列を構成するギアと従
動ギア２２４との間に架けられた駆動ベルト２２５などによって構成されている。スキャ
ナキャリッジ２２０は、駆動ベルト２２５に連結されている。
【００３６】
スキャナキャリッジ２２０は、モータ２２２で発生させた駆動力が駆動機構２２３を介
して伝達されることによって、スキャナキャリッジ２２０用のホームポジションと折り返
しポジションとの間を、原稿台ガラス２１２に沿って副走査方向に移動する。スキャナキ
ャリッジ２２０用のホームポジションおよび折り返しポジションは、副走査方向に沿って
開口部２１１の端部よりも外側に設けられている。
【００３７】
上述した光学部材２１４は、スキャナキャリッジ２２０に搭載されている。光学部材２
１４は、スキャナキャリッジ２２０の移動にともなって、原稿台ガラス２１２に沿って副
走査方向に移動する。
【００３８】
つぎに、ＴＰＵユニット１２０の概略構成について説明する。ＴＰＵユニット１２０に
おけるＴＰＵハウジング２３０には、本体ハウジング２１０に対向する側に、本体ハウジ
ング２１０に向かって開口する開口部２３１が設けられている。また、ＴＰＵハウジング
２３０は、開口部２３１を覆う位置に、保護マット２３２が設けられている。保護マット
２３２は、ＴＰＵハウジング２３０に対して着脱自在に設けられている。
【００３９】
ＴＰＵハウジング２３０には、光源装置としての透過用光源部（図３参照）が設けられ
ている。透過用光源部は、写真用フィルムなどのような光透過型の原稿（以下、「フィル
ム」という）の読み取り動作に際して使用され、原稿台ガラス２１２に向けて光を照射す
る。透過用光源部から照射された光は、ＴＰＵユニット１２０に設けられた図示しない開
口部を介して、原稿台ガラス２１２に向けて照射される。
【００４０】
透過用光源部は、原稿台ガラス２１２に沿って副走査方向に移動可能に設けられており
、ＴＰＵユニット１２０に設けられた開口部は、透過用光源部によるフィルムの照射領域
をカバーするように設けられている。
【００４１】
また、ＴＰＵハウジング２３０には、上述したモータ２２２の駆動力を透過用光源部に
伝達する図示しない動力伝達機構が設けられている。詳細な図示および説明を省略するが
、ＴＰＵユニット１２０に設けられた動力伝達機構は、たとえば、駆動機構２２３に連結
されたプーリ群や駆動ベルト２３３および駆動ベルト２３３が架けられたギア対などによ
って構成されている。
【００４２】
透過用光源部は、モータ２２２で発生させた駆動力が、ＴＰＵユニット１２０に設けら
れた動力伝達機構を介して伝達されることによって、透過用光源部用のホームポジション
と折り返しポジションとの間を、原稿台ガラス２１２に沿って副走査方向に移動する。
【００４３】
ＴＰＵユニット１２０に設けられた動力伝達機構には、所定の大きさ以上の駆動力が透
過用光源部に伝達されないように、トルクリミッタ機能を備えている。なお、トルクリミ
ッタ機能を実現する具体的な構成については、公知の技術であるため、ここでは説明を省
略する。
【００４４】
透過用光源部用のホームポジションおよび折り返しポジションは、副走査方向に沿って
ＴＰＵユニット１２０に設けられた開口部の端部よりも外側に設けられている。スキャナ
装置１００においては、スキャナキャリッジ２２０用のホームポジションおよび折り返し
ポジション間の距離が、透過用光源部用のホームポジションおよび折り返しポジション間
の距離よりも長くなるように設けられている。
【００４５】
この実施の形態１において、ＴＰＵハウジング２３０に設けられた動力伝達機構は、保
護マット２３２がＴＰＵハウジング２３０から取り外されている場合にモータ２２２に連
結され、モータ２２２の駆動力を透過用光源部に伝達するように構成されている。透過用
光源部は、保護マット２３２がＴＰＵハウジング２３０から取り外されている場合に限っ
て、スキャナキャリッジ２２０とともに、モータ２２２の駆動力を受けて副走査方向に沿
って移動する。
【００４６】
フィルムの読み取り動作に際しては、原稿台ガラス２１２の上、すなわち、本体ユニッ
ト１１０とＴＰＵユニット１２０の間にフィルムフォルダ２４０が設置される。フィルム
フォルダ２４０は、原稿台ガラス２１２上におけるフィルム用の読取位置にフィルムが設
置されるように、フィルムの設置位置を案内するとともに、設置されたフィルムを読取位
置に固定する部材である。
【００４７】
図３は、透過用光源部を示す分解斜視図である。つぎに、図３を用いて、透過用光源部
の構成について説明する。図３に示すように、透過用光源部３００は、ＬＥＤ３０１と、
ＬＥＤ３０１によって発光された光を伝播させる導光板３０２と、を備えている。導光板
３０２には、ＬＥＤ３０１によって発光された光を開口部３０６へ向けて照射する為のパ
ターン形状、もしくはパターン印刷が施されており、これによって、ＬＥＤ１個あたりの
照射面積よりも広い面積を照射することができる。なお、図３中、導光板３０２に表記さ
れた仮想線は、導光板３０２における有効発光エリアを示している。
【００４８】
導光板３０２中を伝播された光は、拡散シート３０３およびプリズムシート３０４を介
して、支持フレーム３０５に設けられた開口部３０６から、原稿台ガラス２１２に向けて
照射される。開口部３０６は、導光板３０２に表記された有効発光エリアと同じ形状で開
口するように設けられている。
【００４９】
拡散シート３０３およびプリズムシート３０４を介することにより、導光板３０２中を
伝播された光をより広い面積に、より均一に照射することができる。また、導光板３０２
の側面全体を、支持フレーム３０５によって囲むことで、導光板３０２中を伝播されて導
光板３０２の側面に到達した光を、再度導光板３０２中に反射させることができる。これ
によって、導光板３０２中を伝播された光を、効率よく利用することができる。
【００５０】
透過用光源部３００において、導光板３０２を間にして開口部３０６とは反対側には、
導光板３０２中を伝播された光を開口部３０６へ向けて反射させる反射板３０７が設けら
れている。反射板３０７を設けることによって、導光板３０２中を伝播された光を、効率
よく原稿台ガラス２１２側へ照射することができる。
【００５１】
図３中符号３０８は、透過用光源部３００を駆動ベルト２３３に固定する固定部である
。固定部３０８は、支持フレーム３０５の側方に設けられており、原稿台ガラス２１２側
から駆動ベルト２３３を狭持するように、上方に向けて開口している。
【００５２】
また、図３中符号３０９は、ＴＰＵハウジング２３０に設けられた図示しないガイドレ
ールが嵌め合わされるガイド溝である。ガイドレールは、副走査方向に沿って延出するよ
うに設けられており、これによって透過用光源部３００を副走査方向に沿って安定して移
動させることができる。
【００５３】
支持フレーム３０５には、ＬＥＤ３０１に対向する位置に保持部材としての凹部３１０
が設けられている。凹部３１０は、導光板３０２に対向する方向および上方に向けて開口
するように設けられている（図１１〜図１３参照）。凹部３１０には、弾性部材３１１が
嵌め込まれている。ここに、凹部３１０および弾性部材３１１などによって密着部材が実
現されている。
【００５４】
弾性部材３１１は、外から加えられた力に応じて変形し、加えられた力を取り除けば元
の形に戻ろうとする性質を有する材料によって形成されている。具体的には、弾性部材３
１１は、たとえば、各種ゴム、発泡プラスチック（ウレタンフォーム、各種ゴムスポンジ
、ポリエチレンフォーム）などによって形成されている。
【００５５】
図４は、透過用光源部３００における各部の寸法について説明する説明図である。つぎ
に、図４を用いて、導光板３０２の面方向における、ＬＥＤ３０１、導光板３０２、支持
フレーム３０５および凹部３１０の寸法について説明する。図４において、ＬＥＤ３０１
、導光板３０２、支持フレーム３０５および凹部３１０は、組み立て完了時の透過用光源
部３００における各部の位置関係で示されている。透過用光源部３００の実際の組み立て
完了時には、弾性部材３１１が凹部３１０に嵌め込まれる（図５、図１０参照）。
【００５６】
図４中Ｌ１〜Ｌ３は、ＬＥＤ３０１、導光板３０２および凹部３１０の配列方向に沿っ
た各部の寸法を示している。具体的に、符号Ｌ１は、導光板３０２と凹部３１０の壁面と
の間の寸法を示している。符号Ｌ２は、ＬＥＤ３０１の寸法である。符号Ｌ３は、弾性部
材３１１の寸法である。
【００５７】
ＬＥＤ３０１、凹部３１０および弾性部材３１１は、各寸法Ｌ１〜Ｌ３が、「（Ｌ１−
Ｌ２）＜Ｌ３」となるように設計されている。また、図４中符号Ｌ４は、弾性部材３１１
の幅方向の寸法を示している。寸法Ｌ４は、ＬＥＤ３０１の幅方向の寸法Ｌ５よりも長く
なるように設計されている。
【００５８】
また、ＬＥＤ３０１および弾性部材３１１は、幅方向における互いの中心が揃うように
、センター配置されていることが望ましい。ＬＥＤ３０１および弾性部材３１１を、幅方
向においてセンター配置することによって、弾性部材３１１の付勢力を、ＬＥＤ３０１の
導光板３０２に対向する面全体に亘って均一に加えることができる。
【００５９】
図５は、反射板３０７側から見た透過用光源部３００を示す平面図である。図５に示す
ように、凹部３１０に嵌め込まれた弾性部材３１１は、ＬＥＤ３０１を回避するように変
形している。変形した弾性部材３１１においては、元の形状に復帰しようとする弾性力が
発生する。このため、ＬＥＤ３０１は、弾性部材３１１によって図５中矢印で示す方向に
付勢される。
【００６０】
図６は、クリアランスと輝度との関係を示すグラフである。図６には、ＬＥＤ３０１お
よび導光板３０２の間のクリアランスと導光板３０２の輝度との関係が示されている。こ
こで、図６を用いて、ＬＥＤ３０１と導光板３０２との間のクリアランスと導光板３０２
の輝度との関係について説明する。透過用光源部３００においては、ＬＥＤ３０１と導光
板３０２との間にクリアランスが存在すると、ＬＥＤ３０１から導光板３０２への光の入
射効率が低下し、導光板３０２における輝度が低下することが分かっている。
【００６１】
図６に示すように、ＬＥＤ３０１と導光板３０２とが密着しクリアランスがない場合に
おける導光板３０２の輝度を１００％とした場合、導光板３０２の輝度は、クリアランス
が大きくなるほど低下することが分かる。このような輝度の低下を抑制するために、従来
から、ＬＥＤ３０１を導光板３０２側へ付勢する各種の構成がある。
【００６２】
図７〜図９は、ＬＥＤ３０１を導光板３０２側へ付勢する従来の構成を示す説明図（そ
の１）〜（その３）である。図７に示すように、従来の構成（その１）は、板バネ７０１
を用いてＬＥＤ３０１を導光板３０２側へ付勢する。従来の構成（その１）では、板バネ
７０１を保持する保持部材７０２が、導光板３０２に設けられている。
【００６３】
従来の構成（その１）では、ＬＥＤ３０１を導光板３０２側へ付勢する構成を小型化す
ることができるが、限られたサイズの導光板３０２に保持部材７０２や板バネ７０１を設
けなくてはならず、組み立て性が悪い。また、従来の構成（その１）では、あらかじめ基
板に実装されたＬＥＤ３０１を用いる場合に、組み立て作業が困難であり、歩留まりが悪
くなる。この対策として、ＦＰＣ（フレキシブルプリント配線板）にＬＥＤ３０１を直接
実装する場合、通常の基板を用いる場合と比較して透過用光源部３００の製造コストが増
加してしまう。
【００６４】
図８に示すように、従来の構成（その２）では、従来の構成（その１）と同様に、板バ
ネ８０１を用いてＬＥＤ３０１を導光板３０２側へ付勢するが、板バネ８０１を支持フレ
ーム３０５によって支持している。
【００６５】
従来の構成（その２）では、構成を簡易化することができるが、導光板３０２の板バネ
８０１による付勢力を受ける面８０２に伝播された光を支持フレーム３０５によって反射
することができないため、面８０２に伝播された光を導光板３０２中へ反射させる反射シ
ートを追加する必要がある。
【００６６】
また、従来の構成（その２）では、板バネ８０１がＬＥＤ３０１に対して点接触するた
め、板バネ８０１による付勢力を、ＬＥＤ３０１の導光板３０２に対向する面８０３全体
に亘って均一に加えることが困難であり、導光板３０２の側面に対してＬＥＤ３０１が傾
き易い。
【００６７】
図９に示すように、従来の構成（その３）では、支持フレーム３０５に一体成形された
板バネ９０１によってＬＥＤ３０１を付勢する。従来の構成（その３）では、板バネ９０
１を支持フレーム３０５に一体成形することによって組み立て時の追加部品をなくすこと
ができるが、成形の技術上の都合から、支持フレーム３０５に開口部分９０２ができ、Ｌ
ＥＤ３０１で発光した光が開口部分９０２から漏れてしまう。
【００６８】
これらの従来の構成（その１）〜（その３）に対し、実施の形態１の構成によれば、弾
性部材３１１の付勢力を、ＬＥＤ３０１の幅方向全体に亘って連続して加えることができ
る。これによって、ＬＥＤ３０１の導光板３０２に対向する面全体に亘って、ＬＥＤ３０
１と導光板３０２とを安定して密着させることができる。
【００６９】
図１０は、透過用光源部３００を示す斜視図である。つぎに、図１０を用いて、導光板
３０２の厚み方向における、ＬＥＤ３０１、導光板３０２、および弾性部材３１１の寸法
について説明する。図１０に示すように、導光板３０２の厚み方向における弾性部材３１
１の寸法は、導光板３０２の厚み方向における寸法よりも大きい。導光板３０２の厚み方
向における凹部３１０の寸法（凹部３１０の深さ）は、弾性部材３１１と同等に設けられ
ている。これにより、弾性部材３１１は、ＬＥＤ３０１によって変形させられることによ
って発生する復元力に起因する付勢力を、ＬＥＤ３０１に対して効率よく加えることがで
きる。
【００７０】
図１１〜図１３は、透過用光源部３００の組み立て方法について説明する説明図（その
１）〜（その３）である。実施の形態１の透過用光源部３００では、図１０において説明
したように、導光板３０２の厚み方向における弾性部材３１１の寸法が導光板３０２の寸
法よりも大きいため、図１１〜図１３に示すような方法によって組み立てることができる
。
【００７１】
図１１〜図１３においては、透過用光源部３００の組み立て工程のうち、ＬＥＤ３０１
が実装された基板１１０１を組み込む支持フレーム３０５に、弾性部材３１１が嵌め込ま
れるとともに、拡散シート３０３、プリズムシート３０４および導光板３０２が組み込ま
れた状態（図１１）から、基板１１０１に実装されたＬＥＤ３０１を組み込む工程におけ
る手順について説明する。
【００７２】
ＬＥＤ３０１の組み込みに際しては、基板１１０１に実装されたＬＥＤ３０１を導光板
３０２に重ねられた反射板３０７の方向に押し当てた状態で、凹部３１０に嵌め込まれた
弾性部材３１１に近づける方向に、ＬＥＤ３０１をスライドさせる。導光板３０２の厚み
方向における弾性部材３１１の寸法が導光板３０２の寸法よりも大きいため、スライドさ
せることによって、ＬＥＤ３０１が弾性部材３１１に当接する（図１１参照）。
【００７３】
ＬＥＤ３０１が弾性部材３１１に当接してからさらに同方向へスライドさせると、ＬＥ
Ｄ３０１によって弾性部材３１１が押され、押された部分が凹むように変形する（図１２
参照）。これにより、導光板３０２と弾性部材３１１との間に、一部空間１２０１が生じ
る。空間１２０１は、ＬＥＤ３０１を同方向へさらにスライドさせることによって、徐々
に拡げられる。
【００７４】
ＬＥＤ３０１は、反射板３０７の方向に押し当てられているため、弾性部材３１１が、
上述した寸法Ｌ２に相当する分凹んだタイミングで空間１２０１へ落下するような状態で
、導光板３０２と弾性部材３１１との間に位置づけられる（図１３参照）。ＬＥＤ３０１
は、導光板３０２と弾性部材３１１との間に位置づけられた時点から、弾性部材３１１に
よって図１３中矢印で示す方向に付勢される。
【００７５】
このように、実施の形態１の透過用光源部３００によれば、反射板３０７に沿ってＬＥ
Ｄ３０１をスライドさせるだけで、ＬＥＤ３０１を組み込むことができる。これによって
、透過用光源部３００の組み立て性を向上させ、歩留まりの向上を図ることができる。
【００７６】
また、実施の形態１の透過用光源部３００によれば、冗長性をもった形状変形が可能な
弾性部材を用いることで、組み立ての際にＬＥＤ３０１の厳密な位置決め作業や付勢用の
治具を用いることなく、ＬＥＤ３０１を導光板３０２に対して付勢し、ＬＥＤ３０１と導
光板３０２との間のクリアランスをなくすことができる。
【００７７】
従来の方法では、ＬＥＤ３０１を実装する基板１１０１を位置決めすることによって、
ＬＥＤ３０１を位置決めしていたが、この方法では、基板１１０１に固定されているＬＥ
Ｄ３０１に対して、板バネなどの付勢力が加えられることになるため、基板１１０１とＬ
ＥＤ３０１との間に剪断力が作用し、基板１１０１とＬＥＤ３０１との間における断線な
ど、透過用光源部３００の破損が発生することが懸念される。
【００７８】
これに対し、実施の形態１の透過用光源部３００によれば、ＬＥＤ３０１を、弾性部材
３１１からの付勢力によって、導光板３０２と弾性部材３１１との間に位置決めすること
ができるので、基板１１０１とＬＥＤ３０１との間に上述した剪断力が発生しない。これ
によって、基板１１０１とＬＥＤ３０１との間における剪断力による透過用光源部３００
の破損を防止し、透過用光源部３００およびスキャナ装置１００に対する利用者の信頼性
の向上を図ることができる。
【００７９】
なお、上述した実施の形態１においては、単一のＬＥＤ３０１を備える透過用光源部３
００について説明したが、これに限るものではない。図示を省略するが、複数のＬＥＤ３
０１を備える透過用光源部であってもよい。複数のＬＥＤ３０１を備える透過用光源部に
おいては、ＬＥＤ３０１ごとに弾性部材３１１を複数設けてもよいし、単一の弾性部材３
１１によって複数のＬＥＤ３０１を付勢するようにしてもよい。
【００８０】
また、上述した実施の形態１においては、この発明の光源装置を、スキャナ装置１００
の透過用光源部３００へ適用した例について説明したが、これに限るものではない。スキ
ャナ装置１００の透過用光源部３００としての適用の他、たとえば、液晶用バックライト
などのＬＥＤを利用する表示体光源や、その他ＬＥＤを光源として利用する照明装置など
へ適用してもよい。
【００８１】
上述したように、実施の形態１の透過用光源部３００によれば、ＬＥＤ３０１を導光板
３０２に密着させることで、ＬＥＤ３０１から導光板３０２への光伝達効率の向上を図る
ことができる。これによって、利用者は、発光輝度の高い透過用光源部３００を得ること
ができる。
【００８２】
また、実施の形態１の透過用光源部３００によれば、弾性部材３１１の弾性力を利用し
て、ＬＥＤ３０１を導光板３０２に密着させることで、簡易な構成によってＬＥＤ３０１
から導光板３０２への光伝達効率の向上を図ることができる。これによって、利用者は、
発光輝度の高い小型の透過用光源部３００を得ることができる。
【００８３】
また、実施の形態１の透過用光源部３００によれば、弾性部材３１１がＬＥＤ３０１の
全体を覆うように接触しているため、ＬＥＤ３０１の全体に亘って、ＬＥＤ３０１を導光
板に密着させることができるので、簡易な構成によってＬＥＤ３０１と導光板３０２とを
安定して密着させることができる。これによって、利用者は、発光輝度が安定した小型の
透過用光源部３００を得ることができる。
【００８４】
また、実施の形態１の透過用光源部３００によれば、簡易な構成で弾性部材を保持する
ことで、構成の簡易化および組み立て性能の向上を図ることができる。これによって、利
用者は、発光輝度が安定した小型の透過用光源部３００を得ることができる。
【００８５】
また、実施の形態１の透過用光源部３００によれば、ＬＥＤ３０１を導光板３０２の端
部に取り付ける際に、ＬＥＤ３０１が取り付けられる側において弾性部材３１１が周辺の
反射板３０７よりも突出していることから、弾性部材３１１と反射板３０７との段差を利
用して、ＬＥＤ３０１を導光板３０２の端部に取り付けることができる。
【００８６】
これによって、透過用光源部３００は、基板に実装されたＬＥＤ３０１のように、取り
付けに際してＬＥＤ３０１を直接視認することが困難な場合における組み立て性能の向上
を図ることができる。また、これによって、利用者は、製造コストの増加を抑えた発光輝
度の高い透過用光源部３００を得ることができる。
【００８７】
また、実施の形態１の透過用光源部３００によれば、弾性部材３１１の弾性力を利用し
て、導光板３０２と弾性部材３１１との間に押し込むようにしてＬＥＤ３０１を挿入する
ことで、ＬＥＤ３０１を導光板３０２の端部に取り付けることで、透過用光源部３００の
組み立て性能の向上を図ることができる。これによって、利用者は、製造コストの増加を
抑えた発光輝度の高い透過用光源部３００を得ることができる。
【００８８】
そして、実施の形態１のスキャナ装置１００によれば、原稿画像の読み取りに十分な光
量を小型の透過用光源部３００によって確保することができる。これによって、スキャナ
装置１００は、読み取り精度の向上およびスキャナ装置１００の小型化を図ることができ
る。また、これによって、利用者は、小型のスキャナ装置１００を用いて、品質の良好な
読み取り画像を得ることができる。
【００８９】
（実施の形態２）
つぎに添付図面を参照して、この発明にかかる光源装置、画像読取装置、および複合機
の好適な実施の形態２を詳細に説明する。この実施の形態２は、この発明にかかる光源装
置、画像読取装置、および複合機を実現する複合機への適用例を示す。実施の形態２にお
いては、上述した実施の形態１と同一部分は同一符号で示し、説明も省略する。
【００９０】
図１４は、実施の形態２にかかる複合機の外観を示す斜視図である。実施の形態２にか
かる複合機１４００は、上述した実施の形態１で説明したスキャナ装置１００と、スキャ
ナ装置１００が備える撮像素子２１７に入射された光の強弱に応じた画像を被記録媒体上
に形成する画像形成装置としてのプリンタ１４０１と、を備えている。
【００９１】
スキャナ装置１００とプリンタ１４０１とは、図示しない通信Ｉ／Ｆを介して相互通信
可能に接続されている。スキャナ装置１００は、撮像素子２１７に入射された光の強弱に
応じた画像データをプリンタ１４０１へ出力する。
【００９２】
プリンタ１４０１は、紙などの被記録媒体に画像を形成するプリンタエンジンを備えて
いる。公知の技術であるため図示および説明を省略するが、プリンタエンジンにおける画
像形成方式は、たとえば、インクジェット方式、静電転写方式、昇華転写方式など、各種
の方式を適用することができる。
【００９３】
このような構成を備える複合機１４００において、プリンタ１４０１は、スキャナ装置
１００から出力された画像データに基づいて、紙などの被記録媒体に画像を形成する。
【００９４】
このような複合機１４００によれば、スキャナ装置１００における原稿の読み取りに必
要な発光輝度を確保しつつ、スキャナ装置１００の小型化を図ることで、複合機１４００
の小型化を図ることができる。これによって、利用者は、小型の複合機１４００を用いて
、再現性の高い画像を被記録媒体に形成することができる。
【図面の簡単な説明】
【００９５】
【図１】実施の形態１にかかるスキャナ装置の外観を示す斜視図。
【図２】スキャナ装置の縦断正面図。
【図３】透過用光源部を示す分解斜視図。
【図４】透過用光源部における各部の寸法について説明する説明図。
【図５】反射板側から見た透過用光源部を示す平面図。
【図６】クリアランスと輝度との関係を示すグラフ。
【図７】ＬＥＤを導光板側へ付勢する従来の構成を示す説明図（その１）。
【図８】ＬＥＤを導光板側へ付勢する従来の構成を示す説明図（その２）。
【図９】ＬＥＤを導光板側へ付勢する従来の構成を示す説明図（その３）。
【図１０】透過用光源部を示す斜視図。
【図１１】透過用光源部の組み立て方法について説明する説明図（その１）。
【図１２】透過用光源部の組み立て方法について説明する説明図（その２）。
【図１３】透過用光源部の組み立て方法について説明する説明図（その３）。
【図１４】実施の形態２にかかる複合機の外観を示す斜視図。
【符号の説明】
【００９６】
１００  スキャナ装置、２１７  撮像素子、３００  透過用光源部、３０１  ＬＥＤ、
３０２  導光板、３０５  支持フレーム、３１０  凹部、３１１  弾性部材、１４００  
複合機、１４０１  プリンタ
【図１】
2007280624.tif 000003
【図２】
2007280624.tif 000004
【図３】
2007280624.tif 000005
【図４】
2007280624.tif 000006
【図５】
2007280624.tif 000007
【図６】
2007280624.tif 000008
【図７】
2007280624.tif 000009
【図８】
2007280624.tif 000010
【図９】
2007280624.tif 000011
【図１０】
2007280624.tif 000012
【図１１】
2007280624.tif 000013
【図１２】
2007280624.tif 000014
【図１３】
2007280624.tif 000015
【図１４】
2007280624.tif 000016